(57)【要約】【課題】簡易な構成によりスキミング被害を防止できる表面実装型のカード用コネクタ及びコネクタベースを提供する。【解決手段】表面実装型のカード用コネクタ１０は、八つのコネクタ端子１１によって構成される端子群１２と、ハウジング２０と、を備える。八つのコネクタ端子１１のそれぞれは、八つのカード端子のそれぞれに対して接触する第１接続部１１ｆと、基板に対して表面実装により接続される第２接続部と、連結部１１ｔと、を有する。ハウジング２０に形成された周壁部２１は、接続状態におけるスマートカードのカード面に垂直な方向に沿って見たときに端子群１２を包囲し、且つ、カード面に平行な全ての方向（Ａ参照）に沿って見たときに、八つのコネクタ端子１１のそれぞれにおける連結部１１ｔを覆っている。【選択図】図３
2009076337.tif 000002
【特許請求の範囲】
【請求項１】
カード面に複数のカード端子を有するスマートカードを接続するための、表面実装型のカード用コネクタであって、
複数のコネクタ端子によって構成される端子群と、
前記端子群を支持するハウジングと、を備え、
前記複数のコネクタ端子のそれぞれは、前記複数のカード端子のそれぞれに対して電気的に接続されるものであり、
前記複数のコネクタ端子のそれぞれは、前記複数のカード端子のそれぞれに対して接触する部分である第１接続部と、基板に対して表面実装により接続される部分である第２接続部と、当該第１接続部及び当該第２接続部を連結する連結部と、を有し、
前記ハウジングには、周壁部が形成されており、
当該周壁部は、接続状態における前記スマートカードの前記カード面に垂直な方向に沿って見たときに前記端子群を包囲し、且つ、前記カード面に平行な全ての方向に沿って見たときに、前記複数のコネクタ端子のそれぞれにおける前記連結部を覆っていることを特徴とするカード用コネクタ。
【請求項２】
前記周壁部には、少なくとも一つのスキミング検知用端子が取り付けられていることを特徴とする請求項１に記載のカード用コネクタ。
【請求項３】
複数の前記スキミング検知用端子が、前記カード面に平行な全ての方向のうち、前記スマートカードの挿入方向、及び、当該挿入方向に垂直な方向の二方向に関して、前記端子群を両側から挟むように配置されていることを特徴とする請求項２に記載のカード用コネクタ。
【請求項４】
前記ハウジングには、前記複数のコネクタ端子を挿入して取り付けるための複数の収容空間が形成されており、
前記ハウジングにおいて、前記複数の収容空間へ前記複数のコネクタ端子を挿入して取り付けるための複数の挿入口は、前記カード面に垂直な方向に開口していることを特徴とする請求項１乃至３のいずれか１項に記載のカード用コネクタ。
【請求項５】
ハウジングカバーとの組み合わせにより、カード面に複数のカード端子を有するスマートカードが挿入されるカードスロットが形成されたコネクタ装置を構成する、表面実装型のコネクタベースであって、
請求項１乃至４のいずれか１項に記載のカード用コネクタと、
当該カード用コネクタを支持するための支持ハウジングと、を有し、
前記ハウジングと前記支持ハウジングとは、一体的に、又は、別体として形成されていることを特徴とするコネクタベース。
【請求項６】
ハウジングカバーとの組み合わせにより、カード面に複数のカード端子を有するスマートカードが挿入されるカードスロットが形成されたコネクタ装置を構成する、表面実装型のコネクタベースであって、
複数のコネクタ端子によって構成される端子群と、
前記端子群を支持するハウジング本体部と、を備え、
前記複数のコネクタ端子のそれぞれは、前記複数のカード端子のそれぞれに対して電気的に接続されるものであり、
前記複数のコネクタ端子のそれぞれは、前記複数のカード端子のそれぞれに対して接触する部分である第１接続部と、基板に対して表面実装により接続される部分である第２接続部と、当該第１接続部及び当該第２接続部を連結する連結部と、を有し、
前記ハウジング本体部には、ハウジング周壁部が形成されており、
当該ハウジング周壁部は、接続状態における前記スマートカードの前記カード面に垂直な方向に沿って見たときに前記端子群を包囲し、且つ、前記カード面に平行な全ての方向に沿って見たときに、露出しないように前記連結部を覆っていることを特徴とするカード用コネクタ。
【発明の詳細な説明】
【技術分野】
【０００１】
本発明は、スマートカードの接続に用いるカード用コネクタ及びコネクタベースに関し、より詳細にはスキミングを防止できるカード用コネクタ及びコネクタベースに関する。
【背景技術】
【０００２】
従来のカード用の電気コネクタの一例が特許文献１に開示されている。特許文献１に記載された電気コネクタは表面実装型のものであり、この電気コネクタにおいて、導電性要素であるコンタクトブレードは、接続端部を有している。各接続端部は各ブレードを、印刷回路基板の導電性配線に対して、例えば表面実装技術を使用した半田付けにより、電気的に接続させるタブを構成する。また、各ブレードの湾曲したコンタクト端部および接続端部はヘアピン形状の中央結合部により互いに結合される。ここで、コンタクト端部は、カードのパッドと接触するための部分であり、接続端部は、処理回路に接続するための部分である。
【０００３】
また、特許文献１に記載された電気コネクタは、絶縁性材料のコンタクト保持本体（絶縁体本体）を含み、この絶縁性本体は、対として配列された４つのハウジングが２つ連続したものを有する。そして、各ハウジング（コンタクトが配置される空間）は、対応する前部および後部横断方向面において開口し、そして下面において垂直下方に、また、上面において垂直上方に開口している。各ハウジングは上面に達し、そこで上面は、縦方向の平行な縁部によって定められる溝を規定し、この溝はブレードの湾曲したコンタクト端部の通路とされる。コンタクトブレードの接続端部は、完全にコネクタの内部に配置される。一方で、上記のように、ハウジングが横断方向面において開口しているために、赤外半田溶融ビームがハウジングの入口を通って、外側から接続端部へ到達できるようになっている。そして、そのハウジングの開口において、接続端部や中央結合部は露出しており、目視可能な状態となっている。
【０００４】
【特許文献１】特開２００２−４２９３３号公報
【発明の開示】
【発明が解決しようとする課題】
【０００５】
ところで、近年の電子的決済技術の普及に伴い、金融端末において、磁気カードに記憶されたデータが盗用される被害（スキミング）が問題となっている。例えば、スマートカード用のコネクタ装置を使ったスキミングに関しては、スキミングを行なう者が、店舗等に侵入して、コネクタ装置のカード情報読み取り用端子に、スキミング装置（スキマー）の端子を直接取り付ける。その後は、コネクタ装置にスマートカードが挿入される度に、カードデータがスキマーに蓄積されることになる。
【０００６】
そして、特許文献１に記載されているような、従来の表面実装型のコネクタ装置においては、前部及び後部横断面方向面においてハウジングが開口しており、この開口において、コンタクトブレードの接続タブ、及び、中央結合部が、ハウジングによって覆われずに露出した状態になっている。そのため、従来の表面実装型のコネクタ装置では、情報読み取り用端子にスキマーの端子を容易に接続できるので、スキミング被害が発生し易いと考えられる。
【０００７】
そこで、本発明の目的は、簡易な構成によりスキミング被害を防止できる表面実装型のカード用コネクタ及びコネクタベースを提供することである。
【課題を解決するための手段及び効果】
【０００８】
上記の目的を達成するために、本発明に係るカード用コネクタは、カード面に複数のカード端子を有するスマートカードを接続するための、表面実装型のカード用コネクタであって、複数のコネクタ端子によって構成される端子群と、前記端子群を支持するハウジングと、を備え、前記複数のコネクタ端子のそれぞれは、前記複数のカード端子のそれぞれに対して電気的に接続されるものであり、前記複数のコネクタ端子のそれぞれは、前記複数のカード端子のそれぞれに対して接触する部分である第１接続部と、基板に対して表面実装により接続される部分である第２接続部と、当該第１接続部及び当該第２接続部を連結する連結部と、を有し、前記ハウジングには、周壁部が形成されており、当該周壁部は、接続状態における前記スマートカードの前記カード面に垂直な方向に沿って見たときに前記端子群を包囲し、且つ、前記カード面に平行な全ての方向に沿って見たときに、前記複数のコネクタ端子のそれぞれにおける前記連結部を覆っている。
【０００９】
この構成によると、ハウジングに形成された周壁部が、接続状態におけるスマートカードのカード面に垂直な方向に沿って見たときに端子群を包囲し、且つ、カード面に平行な全ての方向に沿って見たときに、複数のコネクタ端子のそれぞれにおける連結部を覆うことになるので、従来の表面実装型のコネクタ装置と比べて、情報読み取り用のコネクタ端子に対して、スキマーの端子を取り付け難くなる。そのため、簡易な構成によりスキミング被害を防止できる表面実装型のカード用コネクタが得られる。
【００１０】
また、本発明に係るカード用コネクタにおいて、前記周壁部には、少なくとも一つのスキミング検知用端子が取り付けられていてもよい。これによると、スキミングを行なう者が、コネクタ端子にスキマーの端子を取り付けるために、ハウジングの周壁部を削った場合に、周壁部に取り付けられているスキミング検知用端子が切断されることになる。そのため、例えば、スキミング検知用端子に常時通電してその通電状態を監視しておき、スキミング検知用端子が切断されてその通電状態が変化したら、警報装置等が動作するようにすることにより、スキマー設置行為を検知できる。
【００１１】
なお、スキミング検知用端子の周壁部への取り付けに関しては、スキミング検知用端子を周壁部の内部に埋没させてもよいし、スキミング検知用端子を薄く形成して周壁部の表面に貼り付けてもよい。
【００１２】
また、本発明に係るカード用コネクタにおいて、複数の前記スキミング検知用端子が、前記カード面に平行な全ての方向のうち、前記スマートカードの挿入方向、及び、当該挿入方向に垂直な方向の二方向に関して、前記端子群を両側から挟むように配置されていてもよい。これによると、複数のスキミング検知用端子が端子群の周囲四方を囲むことになるので、周囲四方のうちどの方向からハウジングが削られても、そのことを検知できる。また、スキミング検知用端子を、挿入方向及びそれに垂直な方向の二方向に関して端子群を挟むように配置することにより、少ない数のスキミング検知用端子により効率的にスキマー設置行為を検知することができる。
【００１３】
また、本発明に係るカード用コネクタにおいて、前記ハウジングには、前記複数のコネクタ端子を挿入して取り付けるための複数の収容空間が形成されており、前記ハウジングにおいて、前記複数の収容空間へ前記複数のコネクタ端子を挿入して取り付けるための複数の挿入口は、前記カード面に垂直な方向に開口していてもよい。これによると、コネクタ端子を取り付けるための挿入口が、カード面に垂直な方向に開口するように形成され、ハウジングの収容空間は、カード面に平行な方向には開口しないために、端子群を包囲する周壁部を形成していても、コネクタ端子の取り付けが可能となる。
【００１４】
また、上記の目的を達成するために、本発明に係るコネクタベースは、ハウジングカバーとの組み合わせにより、カード面に複数のカード端子を有するスマートカードが挿入されるカードスロットが形成されたコネクタ装置を構成する、表面実装型のコネクタベースであって、上記のいずれかのカード用コネクタと、当該カード用コネクタを支持するための支持ハウジングと、を有し、前記ハウジングと前記支持ハウジングとは、一体的に、又は、別体として形成されている。
【００１５】
この構成によると、簡易な構成によりスキミング被害を防止できる表面実装型のコネクタベースが得られる。
【００１６】
また、別の観点において上記の目的を達成するために、本発明に係るコネクタベースは、ハウジングカバーとの組み合わせにより、カード面に複数のカード端子を有するスマートカードが挿入されるカードスロットが形成されたコネクタ装置を構成する、表面実装型のコネクタベースであって、複数のコネクタ端子によって構成される端子群と、前記端子群を支持するハウジング本体部と、を備え、前記複数のコネクタ端子のそれぞれは、前記複数のカード端子のそれぞれに対して電気的に接続されるものであり、前記複数のコネクタ端子のそれぞれは、前記複数のカード端子のそれぞれに対して接触する部分である第１接続部と、基板に対して表面実装により接続される部分である第２接続部と、当該第１接続部及び当該第２接続部を連結する連結部と、を有し、前記ハウジング本体部には、ハウジング周壁部が形成されており、当該ハウジング周壁部は、接続状態における前記スマートカードの前記カード面に垂直な方向に沿って見たときに前記端子群を包囲し、且つ、前記カード面に平行な全ての方向に沿って見たときに、露出しないように前記連結部を覆っている。
【００１７】
この構成によると、簡易な構成によりスキミング被害を防止できる表面実装型のコネクタベースが得られる。
【発明を実施するための最良の形態】
【００１８】
以下、本発明の好適な実施形態について図面を参照しつつ説明する。以下においては、説明の便宜のために本発明の好適な実施形態例のみを示すが、これにより本発明を限定するものではない。
【００１９】
（全体構成について）
まず、本発明の第１実施形態に係るコネクタ装置の全体構成について説明する。図１は、本発明の第１実施形態に係るカード用コネクタ及びコネクタベースを含むコネクタ装置の全体構成を示す側面視概略図である。図２は、図１のコネクタ装置の概略図であり、（ａ）は正面図、（ｂ）は底面図を示す。図３は、図１のコネクタ装置における、カード用コネクタを含むコネクタベースの斜視図である。図４は、図３のコネクタベースの概略図であり、（ａ）は平面図、（ｂ）は背面図を示す。図５は、図３のコネクタベースの概略底面図である。図６は、図１のコネクタ装置における、ハウジングカバーの底面斜視図である。図７は、図６のハウジングカバーの概略図であり、（ａ）は底面図、（ｂ）は背面図を示す。図８は、図１のコネクタ装置に含まれるコネクタ端子の斜視図である。図９は、図８のコネクタ端子の第２接続部を説明するための側面視説明図であり、コネクタ端子がハウジングに取り付けられていない状態を示す。図１０は、図１のコネクタ装置に含まれるスキミング検知用端子３０の利用例を示す説明概略図である。
【００２０】
なお、正面図とは、挿入方向（図１の挿入方向の矢印参照）に沿って見たときの図であり、平面図とは、カード面方向に垂直な方向に沿って見たときの図（図１のＢ矢視図）である。背面図は正面図の反対側を示し、底面図は平面図の反対側を示す。
【００２１】
本実施形態に係るコネクタ装置１は、店舗等に設置されるカード決済端末（図示せず）を構成するものであり、ハウジングカバー５０とコネクタベース４０とを有している。コネクタ装置１には、カードスロット１ｓが形成されており、このカードスロット１ｓには、スマートカード２が挿入される（図１参照）。スマートカード２には、カード面２ｆと、カード面２ｓとが形成されており、スマートカード２は、カード面２ｓに八つのカード端子２ｔを有している。図１において、カード面２ｆは表側の面であり、カード面２ｓは裏側の面である。コネクタ装置１のカードスロット１ｓに対して、スマートカード２が完全に挿入されると、スマートカード２に記録されたカードデータをコネクタ装置１において読み取ることが可能な接続状態となる。
【００２２】
また、コネクタ装置１は表面実装型であり、コネクタ装置１に含まれる複数のコネクタ端子１１は、はんだ付けにより、基板６０の表面に対して取り付けられる。なお、本実施形態に係るコネクタ装置１において、各種の端子を除くハウジング部分の材料は、プラスチック（絶縁材料）である。しかし、ハウジング部分は、他の材料から形成されていてもよい。以下、各部の詳細について説明する。
【００２３】
なお、以下の説明において、“カード面２ｓに垂直な方向”とは、コネクタ装置１に対して接続された状態におけるスマートカード２のカード面２ｓに垂直な方向のことであり、図１においては矢印Ｂの方向として示される。また、“カード面２ｓに平行な方向”とは、コネクタ装置１に対して接続された状態におけるスマートカード２のカード面２ｓに平行な方向のことであり、図１においては、矢印Ａの方向として示される。カード面２ｓに平行な方向は無数に存在するため、図１における矢印Ａには、カード面２ｓに平行な無数の方向のうち、八つの方向のみ例示している。また、スマートカード２の“挿入方向”とは、図１等に示すように、スマートカード２がカードスロット１ｓに対して挿入されるときの挿入方向のことであり、挿入方向に関しての手前側及び奥側は、図３において示したように説明される。また、カードの挿入方向に垂直な方向であって、且つ、カード面２ｓに平行な方向を、“垂直方向”として定義する（図３，５参照）。
【００２４】
（コネクタベース）
上記のように、コネクタベース４０は、ハウジングカバー５０との組み合わせにより、カードスロット１ｓが形成されたコネクタ装置１を構成するものであり（図１，２参照）、表面実装型のものである。また、コネクタベース４０は、カード用コネクタ１０と、当該カード用コネクタ１０を支持するための支持ハウジング４１と、を有して構成されている（図３乃至５参照）。コネクタベース４０において、カード用コネクタ１０のハウジング２０と、支持ハウジング４１とは、一体的に形成されている。なお、本実施形態においては、ハウジング２０と支持ハウジング４１とが一体的に形成されているが、このような形態には限られず、ハウジングと支持ハウジングとは、別体として形成されていてもよい（後述する第３実施形態参照）。
【００２５】
（カード用コネクタ）
カード用コネクタ１０は、カード面２ｓに複数のカード端子２ｔを有するスマートカード２を接続するためのものであり、上記のように、表面実装型のものである。具体的には、本実施形態において、挿入されるスマートカード２は八つのカード端子２ｔを有し、カード用コネクタ１０は、その数に対応して八つのコネクタ端子１１を有して構成されている。
【００２６】
また、カード用コネクタ１０は、八つのコネクタ端子１１によって構成される端子群１２と、端子群１２を支持するハウジング２０と、を備えて構成されている（図３乃至５参照）。カード用コネクタ１０のハウジング２０は、上記のように、支持ハウジング４１と一体として形成されており、図２（ｂ），図３，４，５では、破線で囲んだ部分がカード用コネクタ１０に該当する。
【００２７】
なお、本実施形態において、カード用コネクタ１０には八つのコネクタ端子１１が含まれており、端子群１２は、この八つのコネクタ端子１１によって構成されているが、このような形態には限られず、コネクタ端子の数は１０個以下であっても、１２個以上であってもよい。
【００２８】
（コネクタ端子について）
コネクタ端子１１の詳細について、図８、図９を参照しながら説明する。なお、図９は、コネクタ端子１１がハウジング２０に取り付けられていない状態を概略的に示したものである。なお、図９において、矢印Ａはカード面２ｓに平行な方向を、矢印Ｂはカード面２ｓに垂直な方向を示しており、直線Ｃは、カード面２ｓに平行な方向に沿った直線を示している。
【００２９】
八つのコネクタ端子１１のそれぞれは、八つのカード端子２ｔのそれぞれに対して電気的に接続されるものである。そして、八つのコネクタ端子１１のそれぞれは、第１接続部１１ｆと、第２接続部１１ｓと、連結部１１ｔと、板状部１１ｈと、を有している。第１接続部１１ｆは、八つのカード端子２ｔのそれぞれに対して接触する部分であり、第２接続部１１ｓは、基板６０に対して表面実装により接続される部分であり、平板状に形成されている。また、連結部１１ｔは、第１接続部１１ｆ及び第２接続部１１ｓを連結する部分であり、板状部１１ｈは、コネクタ端子１１をハウジング２０に対して取り付けるために、ハウジング２０の溝部（詳細は図示せず）に対して挿入される部分である。
【００３０】
第１接続部１１ｆは、山なりに形成されており、スマートカード２がコネクタ装置１に挿入されたときには、その頂上部においてカード端子２ｔに接触する。また、連結部１１ｔは、板状部１１ａ、湾曲部１１ｂ、板状部１１ｃ、及び、板状傾斜部１１ｄから構成されており、板状部１１ａの端部において第１接続部１１ｆに連続しており、板状傾斜部１１ｄの端部において第２接続部１１ｓに連続している。また、板状部１１ｈは、板状部１１ｃから分岐して形成されている。なお、図９において、コネクタ端子１１はハウジング２０から取り外された状態となっているが、図９におけるコネクタ端子１１の板状部１１ｃと矢印Ａ，Ｂ方向との関係に関しては、コネクタ装置１のハウジング２０に取り付けられた状態におけるコネクタ端子１１の板状部１１ｃと矢印Ａ，Ｂ方向との関係は維持されているものとする。
【００３１】
そして、コネクタ端子１１がハウジング２０から取り出された状態においては、図９に示すように、第２接続部１１ｓは、カード面２ｓに平行な方向（図９の矢印Ａ方向参照）に対して平行ではなく、第２接続部１１ｓに沿った方向と、カード面２ｓに平行な方向とが、０度よりも大きい鋭角（図９のθ１参照）を成すように形成されている。つまり、図９の状態において、第２接続部１１ｓは、カード面２ｓに平行な方向に対して傾いて形成されている。そして、コネクタ装置１が基板６０に対して取り付けられている状態においては、第２接続部１１ｓの先端部１１ｚが、基板６０の表面に接触する。なお、角度θ１は、例えば、５度から１５度くらいが望ましい。
【００３２】
そして、湾曲部１１ｂがあることで、コネクタ端子１１はばねとして機能し、第１接続部１１ｆ及び板状部１１ａが板状部１１ｃの方向へ押されたときには、第１接続部１１ｆ及び板状部１１ａは板状部１１ｃの方向へ撓み、その状態では、第１接続部１１ｆ及び板状部１１ａには、湾曲部１１ｂにより、弾性的に元の状態に戻ろうとする力が作用する。そのため、コネクタ端子１１は、スマートカード２がコネクタ装置１に挿入されたときに、カード端子２ｔと電気的に接続される接続端子としての機能の他、スマートカード２をハウジングカバー５０に押し付けることで、スマートカード２が簡単に抜けないようにして、電気的接続状態を維持する機能をも有する。なお、コネクタ端子は、第１接続部、第２接続部、及び連結部を含んでいればよく、コネクタ端子の形状はこのようなものには限られない。例えば、第２接続部は、カード面２ｓに平行な方向に沿って形成されていてもよい。
【００３３】
また、八つのコネクタ端子１１は、全てが同じ方向に向けて配置されている。具体的には、全てのコネクタ端子１１は、長手方向が挿入方向に沿うように、且つ、湾曲部１１ｂが挿入方向手前側に位置するように配置されている（図３参照）。本実施形態においては、このように全てのコネクタ端子１１が同じ方向に向けて配置されているが、このような配置には限られず、四つのコネクタ端子と、四つのコネクタ端子とが対向するように配置されていてもよい。
【００３４】
（ハウジング）
ハウジング２０は、上記のように、複数のコネクタ端子１１を支持するためのものである。そして、ハウジング２０には、周壁部２１、中間壁部２０ｍ、収容空間２２等が形成されている。周壁部２１は、接続状態におけるスマートカード２のカード面２ｓに垂直な方向（図１の矢印Ｂ参照）に沿って見たときに端子群１２を包囲し、且つ、カード面２ｓに平行な全ての方向（図１の矢印Ａ参照）に沿って見たときに、複数のコネクタ端子１１のそれぞれにおける連結部１１ｔを覆っている。
【００３５】
周壁部２１についてより具体的に説明する。周壁部２１は、周壁部２１ａ、周壁部２１ｂ、周壁部２１ｃ、周壁部２１ｄの四つの周壁からなり、周壁部２１ａ及び周壁部２１ｃは垂直方向に沿って伸びるように形成され、周壁部２１ｂ及び周壁部２１ｄは挿入方向に沿って伸びるように形成されている（図３、図４（ａ）参照）。そして、周壁部２１ａ、周壁部２１ｂ、周壁部２１ｃ、周壁部２１ｄは、連続して形成されている。ここで、周壁部２１ａ、周壁部２１ｂ、周壁部２１ｃ、及び周壁部２１ｄの外面として、外面２０ｓ、外面２０ｗ、外面２０ｔ、及び外面２０ｖがそれぞれ形成されている（図３、図４等参照）。外面２０ｓ、外面２０ｗ、外面２０ｔ、及び外面２０ｖには、開口は形成されていない。また、外面２０ｓ、外面２０ｗ、外面２０ｔ、及び外面２０ｖは、それぞれ平面状に形成されている。なお、これらの外面は平面状でなくてもよい。
【００３６】
そして、周壁部２１は、カード面２ｓに垂直な方向に沿って見たときに、端子群１２全体を包囲するように、周壁部２１ａ及び周壁部２１ｃが、挿入方向に関して端子群１２を挟み、また、周壁部２１ｂ及び周壁部２１ｄが、垂直方向に関して端子群１２を挟んで配置されている。
【００３７】
また、周壁部２１は、カード面２ｓに平行な全ての方向（図１の矢印Ａ参照）に沿って見たときに、複数のコネクタ端子１１のそれぞれにおける連結部１１ｔを覆っている。より詳細には、例えば、カード面２ｓに平行な方向の一つである挿入方向に沿ってカード用コネクタ１０を見たときには、図２（ａ）に示すように、複数のコネクタ端子１１が、外面２０ｓによってほぼ全体的に覆われている。そのため、図２（ａ）の角度で見たときには、それぞれのコネクタ端子１１において、第１接続部１１ｆの頂上部、及び、第２接続部１１ｓの一部のみが見えている。すなわち、この角度において、コネクタ端子１１の、第１接続部１１ｆの頂上部と、第２接続部１１ｓの一部のみが露出している。第１接続部１１ｆの一部が露出しているのは、スマートカード２のカード端子２ｔとの接触を確実にするためである。第２接続部１１ｓの一部も露出しているが、この程度の露出量であれば、ハウジング２０を破壊せずにスキマーを取り付けることは困難である。また、この角度で見たときに、コネクタ端子１１の連結部１１ｔに関しては、外面２０ｓによって完全に覆われている。
【００３８】
また、カード面２ｓに平行な方向の一つである、挿入方向とは反対側の方向（図４の矢印Ｄ方向参照）に沿って見たときにも、図４（ｂ）に示すように、それぞれのコネクタ端子１１が、外面２０ｔによって、第１接続部１１ｆの一部、及び、第２接続部１１ｓの一部を除き、ほぼ全体的に覆われている。また、この角度で見たときに、コネクタ端子１１の連結部１１ｔに関しては、外面２０ｔによって完全に覆われている。
【００３９】
図示は省略するが、外面２０ｖ、外面２０ｗについても同様である。すなわち、カード面２ｓに平行な方向に沿って、より具体的には、外面２０ｖ、外面２０ｗのそれぞれに垂直な方向に沿って、カード用コネクタ１０を見たときに、複数のコネクタ端子１１が、外面２０ｔによって、ほぼ全体的に覆われている。また、この角度で見たときに、複数のコネクタ端子１１のそれぞれの連結部１１ｔに関しては、外面２０ｖ、外面２０ｗによって完全に覆われている。
【００４０】
そして、以上のように構成される周壁部２１は、カード面２ｓに平行な全ての方向（各周壁部の外面に垂直な方向以外の方向も含む）に沿って見たときに、複数のコネクタ端子１１のそれぞれにおける連結部１１ｔを覆っており、その結果、それぞれのコネクタ端子１１は、カード面に平行な全方向に関して、周壁部２１によってほぼ全体的に覆われていることになる。以上から、ハウジング２０を破壊しない限り、外部からコネクタ端子１１へとスキマーを取り付けることは困難である。
【００４１】
また、周壁部２１のうち、周壁部２１ｃは、上記のように、スマートカード２の挿入方向に関して、端子群１２の奥側に配置されている部分である。スキマーの取り付け位置に関しては、周壁部２１ｃを削った部分にスキマーを設置する可能性が高いと考えられる。これは、例えば挿入方向に関して手前側にスキマーを設置すると、カードスロット１ｓから容易にスキマーを発見できるためである。そこで、周壁部２１ｃの挿入方向に関する厚さは、他の周壁部（周壁部２１ａ、周壁部２１ｂ、周壁部２１ｄ）に比べて厚くなっている。具体的には、周壁部２１ｃの挿入方向に関する厚さ（図４（ａ）のＬ１参照）は、カード面２ｓに対して垂直な方向に沿って見たときの各コネクタ端子１１の長さ（図４（ａ）のＬ２参照）よりも大きい。このようにすることで、スキマー設置の可能性が高い、端子群１２の挿入方向奥側について、カード用コネクタ１０の外面２０ｔから端子群１２まで到達するために必要な距離が長くなるので、スキマーの設置を効率的に防止できる。なお、周壁部の形態はこのようなものには限られず、端子群の挿入方向奥側の周壁部の厚さは、他の周辺部よりも厚くなくてもよく、また、この厚さがＬ２以下であってもよい。
【００４２】
中間壁部２０ｍは、端子群１２に含まれる八つのコネクタ端子１１を二つのグループに分けた場合に、これらの二つのグループを仕切るように形成されている。そして、中間壁部２０ｍは、カード挿入方向に関して奥側の四つのコネクタ端子１１を支持するように、垂直方向に沿って伸びるように形成されている。なお、中間壁部はなくてもよく、カード挿入方向に関して奥側の四つのコネクタ端子１１は、例えば、周壁部２１ｃによって支持されていてもよい。
【００４３】
ハウジング２０には、八つのコネクタ端子１１を挿入して取り付けるための八つの収容空間２２が形成されている（図３乃至５参照）。また、ハウジング２０において、八つの挿入口２３が、カード面２ｓに垂直な方向に開口している。八つの挿入口２３は、八つの収容空間２２へ八つのコネクタ端子１１を挿入して取り付けるためのものであり、八つのコネクタ端子１１をハウジング２０に装着する際には、それぞれのコネクタ端子１１を、それぞれに対応する挿入口２３から収容空間２２へと挿入することになる。本実施形態においては、四つの収容空間２２が互いに通じている。なお、収容空間及び挿入孔の数は八つでなくてもよい。
【００４４】
図３で説明すると、カード用コネクタ１０に対してコネクタ端子１１を取り付けるための挿入口２３は、ハウジング２０の上部（図３における上部）に形成されている。そのため、ハウジング２０の収容空間２２は、カード面２ｓに平行な方向には開口していない。すなわち、周壁部２１の外面２０ｓ、外面２０ｗ、外面２０ｔ、及び外面２０ｖには、開口は形成されていない。
【００４５】
なお、本実施形態においては、カード面２ｓに平行な方向に沿って見たときに、第２接続部１１ｓの一部が露出しているが、第２接続部については、周壁部に完全に覆われていてもよいし、全部が露出していてもよい。また、第２接続部に関しては、周壁部に完全に覆われていること、すなわち、コネクタ端子が、第１接続部を除いて周壁部によって完全に覆われていることが望ましい。
【００４６】
（スキミング検知用端子）
周壁部２１には、一つのスキミング検知用端子３０が取り付けられている。より具体的には、スキミング検知用端子３０は周壁部２１ｃの内部に埋没している（図３、図４の破線部参照）。スキミング検知用端子３０は、その長手方向が垂直方向に沿うようにして配置されている。スキミング検知用端子３０は金属製であって、棒状に形成されている。また、スキミング検知用端子３０は、ハウジング２０を削る場合に、ハウジング２０と一緒に切断される程度の強度を有している。また、スキミング検知用端子３０には、二つの接続用端子３０ｓ，３０ｔが接続されている。
【００４７】
なお、スキミング検知用端子は棒状以外のものであっても、適度な強度を有しつつ、ある程度簡単に切断できるものであればよく、例えば、薄板状や紐状のものであってもよい。また、スキミング検知用端子は金属製でなくてもよく、ある程度電気伝導が可能な材料から形成されていればよい。
【００４８】
また、本実施形態では、周壁部２１の内部に、一つのスキミング検知用端子３０が埋没しているが、周壁部に、少なくとも一つのスキミング検知用端子が取り付けられていればよく、スキミング検知用端子の周壁部への取り付けに関しては、このような形態には限られない。例えば、本実施形態のように、スキミング検知用端子を周壁部の内部に埋没させてもよいし、スキミング検知用端子３０を薄く形成して周壁部の表面に貼り付けてもよい。また、スキミング検知用端子は、二つ以上取り付けられていてもよい（後述する第２実施形態参照）。
【００４９】
次に、スキミング検知用端子３０の利用例について、図１０を用いて説明する。例えば、接続用端子３０ｓ，３０ｔに電線８０及び電源８２を接続して、スキミング検知用端子３０に常時通電しておく。そして、電線８０の途中に電流遮断状態検知装置８１を設置して、スキミング検知用端子３０の通電状態を監視しておく。また、電流遮断状態検知装置８１は、警報装置８３に接続されている。そして、この装置は、スキミング検知用端子３０の通電状態が変化したら、警報装置８３が警報を発するように構成されている。
【００５０】
この状態で、スキミングを行なおうとする者が周壁部２１ｃを削った場合には、スキミング検知用端子３０が切断されて接続用端子３０ｓ，３０ｔ間に電流が流れなくなり、スキミング検知用端子３０の通電状態が変化する。そして、この通電状態の変化により電流遮断状態検知装置８１から発信される信号を受けて、警報装置８３により警報が発せられる。例えば、このように装置を構成することで、スキマー設置行為を検知できる。
【００５１】
（支持ハウジング）
次に、支持ハウジング４１について説明する。支持ハウジング４１は、カード用コネクタ１０を支持するためのものであり、本実施形態において、コネクタベース４０は、支持ハウジング４１がカード用コネクタ１０を垂直方向に関して両側から挟むように支持することで構成されている（図３乃至５参照）。また、コネクタベース４０において、カード用コネクタ１０のハウジング２０と、支持ハウジング４１とは、一体的に形成されている。
【００５２】
また、支持ハウジング４１は、二つのカード有無検出用スイッチ７１を含む。このカード有無検出用スイッチ７１は、スマートカード２がコネクタ装置１に挿入されている状態かどうかを確認するためのものであり、挿入方向に関して手前側と、奥側との二箇所に配置されている。具体的には、カード有無検出用スイッチ７１は、スマートカード２と接触する部分である接触部７１ｓと、接続部７１ｃと、接続部７１ｄとを有しており、接続部７１ｃ及び接続部７１ｄには、常時通電されている。また、支持ハウジング４１には、ガイド溝４１ｘが、挿入方向に沿って形成されており（図３参照）、そのガイド溝４１ｘにカード有無検出用スイッチ７１の突出ガイド部７１ｙを嵌入させ、その状態でカード有無検出用スイッチ７１を押し込むことにより、カード有無検出用スイッチ７１は、挿入方向に沿って奥に押し込まれる。これにより、カード面２ｓに垂直な方向に関して、カード有無検出用スイッチ７１を精度良く位置決めすることができる。
【００５３】
そして、スマートカード２がコネクタ装置１に対して接続されておらず、スマートカード２と接触部７１ｓとが接触していない状態では、カード有無検出用スイッチ７１は、電流を遮断しており、スマートカード２がコネクタ装置１に対して接続され、スマートカード２と接触部７１ｓとが接触すると、接続部７１ｃと接続部７１ｄとの間において電流が流れる。そして、接続部７１ｃと接続部７１ｄとの間において電流が流れていることを検知できるような機器（図示せず）を接続しておくことで、スマートカード２がカードスロット１ｓに挿入されているかどうかを判断できるようになっている。なお、挿入方向奥側のカード有無検出用スイッチ７１は、スマートカード２の挿入が完了している状態を検知するためのものであり、挿入方向手前側のカード有無検出用スイッチ７１は、スマートカード２の抜き取りが完了している状態を検知するためのものである。なお、カード有無検出用スイッチ７１はなくてもよい。
【００５４】
また、支持ハウジング４１は、垂直方向に関してカード用コネクタ１０を両側から挟むように配置された、挿入方向に沿って伸びる二つの壁部４１ｂ，４１ｄを有して構成されている。コネクタベース４０においては、この二つの壁部４１ｂ，４１ｄがさらに設けられていることで、端子群１２の、垂直方向に関する両端は、それぞれ、周壁部２１ｂ（２１ｄ）及び壁部４１ｂ（４１ｄ）によって二重に覆われていることになる。
【００５５】
また、支持ハウジング４１の垂直方向両端には、二つの突起部４２が形成されている。これは、後述するハウジングカバー５０の二つの突起部５２を引っ掛けて、コネクタベース４０からハウジングカバー５０が抜けないようにするためのものである。また、支持ハウジング４１には、肉抜き部４１ｙ，４１ｚとして空間が形成されている。なお、肉抜き部４１ｙ，４１ｚはなくてもよく、この空間が同一部材によって埋められていてもよい。
【００５６】
（ハウジングカバー）
ハウジングカバー５０は、コネクタベース４０との組み合わせにより、カードスロット１ｓが形成されたコネクタ装置１を構成するためのものである。図６に示すように、ハウジングカバー５０の裏側には、挿入方向に沿って伸びるように配置された、四つの突起部５１が形成されている。そして、カードスロット１ｓ内に挿入されたスマートカード２は、八つのコネクタ端子１１と、四つの突起部５１とによって挟まれることで、スマートカード２がコネクタ装置１に対して、簡単には抜けないように保持される（図２（ａ）参照）。
【００５７】
また、ハウジングカバー５０には、二つの突起部５２が形成されている。上記のように、支持ハウジング４１の二つの突起部４２に対して二つの突起部５２が引っ掛けられることで、コネクタベース４０に対する、ハウジングカバー５０の挿入方向手前側への変位が制限される。
【００５８】
（効果）
次に、本実施形態に係るコネクタ装置１に含まれるカード用コネクタ１０及びコネクタベース４０の効果について説明する。本発明に係るカード用コネクタ１０は、カード面２ｓに八つのカード端子２ｔを有するスマートカード２を接続するための、表面実装型のカード用コネクタであって、八つのコネクタ端子１１によって構成される端子群１２と、端子群１２を支持するハウジング２０と、を備え、八つのコネクタ端子１１のそれぞれは、八つのカード端子２ｔのそれぞれに対して電気的に接続されるものであり、八つのコネクタ端子１１のそれぞれは、八つのカード端子２ｔのそれぞれに対して接触する部分である第１接続部１１ｆと、基板６０に対して表面実装により接続される部分である第２接続部１１ｓと、当該第１接続部１１ｆ及び当該第２接続部１１ｓを連結する連結部１１ｔと、を有し、ハウジング２０には、周壁部２１が形成されており、当該周壁部２１は、接続状態におけるスマートカード２のカード面２ｓに垂直な方向に沿って見たときに端子群１２を包囲し、且つ、カード面２ｓに平行な全ての方向に沿って見たときに、八つのコネクタ端子１１のそれぞれにおける連結部１１ｔを覆っている。
【００５９】
この構成によると、ハウジング２０に形成された周壁部２１が、接続状態におけるスマートカード２のカード面２ｓに垂直な方向に沿って見たときに端子群１２を包囲し、且つ、カード面２ｓに平行な全ての方向に沿って見たときに、八つのコネクタ端子１１のそれぞれにおける連結部１１ｔを覆うことになるので、従来の表面実装型のコネクタ装置と比べて、情報読み取り用のコネクタ端子１１に対して、スキマーの端子を取り付け難くなる。そのため、簡易な構成によりスキミング被害を防止できる表面実装型のカード用コネクタが得られる。
【００６０】
また、本実施形態に係るカード用コネクタ１０においては、周壁部２１には、スキミング検知用端子３０が取り付けられている。このため、スキミングを行なう者が、コネクタ端子１１にスキマーの端子を取り付けるために、ハウジング２０の周壁部２１を削った場合に、周壁部２１に取り付けられているスキミング検知用端子３０が切断されることになる。そのため、例えば、スキミング検知用端子３０に常時通電してその通電状態を監視しておき、スキミング検知用端子３０が切断されてその通電状態が変化したら、警報装置等が動作するようにすることにより、スキマー設置行為を検知できる。
【００６１】
なお、スキミング検知用端子３０の周壁部２１への取り付けに関しては、本実施形態のように、スキミング検知用端子３０を周壁部２１の内部に埋没させてもよいし、スキミング検知用端子を薄く形成して周壁部の表面に貼り付けてもよい。
【００６２】
また、本実施形態に係るカード用コネクタ１０において、ハウジング２０には、八つのコネクタ端子１１を挿入して取り付けるための八つの収容空間２２が形成されており、ハウジング２０において、八つの収容空間２２へ八つのコネクタ端子１１を挿入して取り付けるための八つの挿入口２３は、カード面２ｓに垂直な方向に開口している。このため、コネクタ端子１１を取り付けるための挿入口２３が、カード面２ｓに垂直な方向に開口するように形成され、ハウジング２０の収容空間２２は、カード面２ｓに平行な方向には開口しないために、端子群１２を包囲する周壁部２１を形成していても、コネクタ端子１１の取り付けが可能となる。
【００６３】
また、本実施形態に係るコネクタベース４０は、ハウジングカバー５０との組み合わせにより、カード面２ｓに八つのカード端子２ｔを有するスマートカード２が挿入されるカードスロット１ｓが形成されたコネクタ装置１を構成する、表面実装型のコネクタベースであって、カード用コネクタ１０と、当該カード用コネクタ１０を支持するための支持ハウジング４１と、を有し、ハウジングカバー５０と支持ハウジング４１とは、一体的に形成されている。この構成によると、簡易な構成によりスキミング被害を防止できる表面実装型のコネクタベースが得られる。
【００６４】
なお、スキミングを行なおうとする者が、ハウジングカバー５０を開けて、ハウジング２０を削らずに、ハウジングの表面にスキマーを設置することも考えられる。しかし、スマートカード２を挿入するためのスペースを確保する必要があるので、実際には、挿入スペースを遮断しないように、コネクタベース４０の厚みの範囲内においてスキマーを設置することになると考えられる。そのため、このコネクタ装置１を用いる場合には、ハウジング２０を削ってスキマーを設置することが想定されるため、本実施形態のような対策が有効となる。
【００６５】
また、例えば、ＤＩＰ型（端子の足（リード部）を基板に貫通させた上で、基板の裏面ではんだ付けする方式。ピン挿入型ともいう）のカード用コネクタの場合には、端子の足が基板を貫通している。そのため、ＤＩＰ型のコネクタにおいて、スキミング被害を確実に防止するには、本実施形態のように端子群を周壁部で包囲することに加えて、基板の裏側に突き抜けた部分についても、スキマー設置対策をする別途行なう必要がある（例えばポッティング等）。一方、本実施形態のカード用コネクタ１０は、表面実装型のコネクタであるので、端子が裏側に突き抜けることがない。そのため、本実施形態に係るカード用コネクタ１０のように、端子群１２を周壁部２１によって包囲することにより、ポッティング等を行なわなくても、スキミング被害を確実に防止できる。
【００６６】
（表面実装型コネクタにおける端子の位置決め精度について）
ところで、ＤＩＰ型のカード用コネクタにおいては、端子の足が基板を貫通するために、端子と基板との電気的接続は確実なものとなるので、コネクタ端子の位置決めの精度は、比較的問題にはならない。一方、表面実装型のカード用コネクタにおいては、端子の位置決めの精度が大きな問題となる。すなわち、表面実装型のカード用コネクタにおいては、端子が基板の表面（図１の表面６０ｆ参照）に対してはんだ付けされるため、コプラナリティ（部品を接着面に置いたときの、コネクタ端子−基板間の最小距離と最大距離との差。平坦度）を小さくすることが重要であり、コプラナリティが大きいと、一部のコネクタ端子が、基板に対して電気的に接続されない可能性がある。
【００６７】
本実施形態のように、接続状態におけるスマートカード２のカード面２ｓに垂直な方向に沿って見たときに端子群１２が周壁部２１によって包囲されている場合には、ハウジング２０に対するコネクタ端子１１の取り付け方向は、カード面２ｓに垂直な方向に沿った方向になる。より具体的には、本実施形態に係るカード用コネクタ１０のハウジング２０において、八つの挿入口２３が、カード面２ｓに垂直な方向に開口している。そして、コネクタ端子１１の装着の際には、コネクタ端子１１を、挿入口２３から収容空間２２へ挿入して取り付けることになる。また、端子群１２は周壁部２１によって包囲されており、ハウジング２０の収容空間２２は、カード面２ｓに平行な方向には開口していない。
【００６８】
そして、この場合には、コネクタ端子１１をハウジング２０に対して均一な挿入量で挿入することは困難であり、端子群１２において、複数のコネクタ端子１１間で、カード面２ｓに垂直な方向に関しての位置決め誤差が生じやすい。そして、コネクタ端子の先端部がカード面２ｓに平行な方向に沿うように形成されている場合には、この位置決め誤差がそのままコプラナリティを大きくする原因となる。すなわち、挿入口２３から、図９の上方向から下方向ヘ向かってコネクタ端子を挿入する場合に、奥まできちんと挿入されているコネクタ端子については、基板との電気的接続が確実なものとなるが、挿入が不完全ものについては、奥まで挿入された他のコネクタに比べて浮き上がった状態となり、コネクタ端子によっては、全く基板に接触せず、電気的接続が完了しないものが生じる可能性がある。そのため、コネクタ端子の先端部がカード面２ｓに平行な方向に沿っている場合には、コプラナリティを小さくするため、カード面２ｓに対して垂直な方向（図９の矢印Ｂ参照）に関するコネクタ端子１１の位置決め精度を高くし、端子群１２の中に、浮き上がっているコネクタ端子１１がないようにする必要がある。
【００６９】
そこで、コネクタ端子の周壁部に、挿入方向に関して貫通形成された貫通孔がある場合（すなわち、ハウジングの収容空間が、カード面２ｓに平行な方向に開口している場合）には、例えば、その貫通孔に支持ハウジング４１のガイド溝４１ｘ（図３参照）のようなものを形成して、これをガイドレールにして挿入方向に沿ってコネクタ端子を挿入すれば、カード面２ｓに垂直な方向に関して、コネクタ端子を精度良く位置決めすることができる。すなわち、表面実装型のカード用コネクタにおいて、カード面２ｓに平行な方向に関して開口するコネクタ取り付け用の開口がなく、端子群が周壁部によって包囲されている構成は、位置決め精度に関する問題がある。しかし、ハウジングの収容空間が、カード面２ｓに平行な方向に開口している場合には、貫通孔が形成されているので、スキマーを設置されやすいという問題がある。
【００７０】
一方、本実施形態のように、コネクタ端子１１を周壁部２１で包囲すると、スキマーの設置対策になる一方で、ハウジングにガイド溝などを形成できないために、各コネクタ端子１１の位置決め精度が問題になる。しかし、この問題については、第２接続部１１ｓの角度θ１の設定により解決される（なお、第２接続部１１ｓの角度θ１は、当然ながら全てのコネクタ端子１１に共通するように設定する）。具体的には、角度θ１は、コネクタ端子１１の端子挿入方向（カード面２ｓに垂直な方向。図９の矢印Ｂ方向参照）に関する想定位置決め誤差の範囲内における最も浮き上がった状態のコネクタ端子１１であっても、基板の表面に確実に先端部１１ｚが接触するような角度に設定する。すなわち、コネクタ装置１の端子群１２において、コネクタ端子１１間に位置決め誤差がある場合に、きちんと奥まで挿入されているコネクタ端子１１は、基板との接触によって、第２接続部１１ｓ根元部分の撓みが比較的大きくなり、浮き上がっているコネクタ端子１１については、第２接続部１１ｓの根元部分の撓みは比較的小さくなる。そして、結果的には、全てのコネクタ端子１１の先端部１１ｚが基板６０に接触することになり、コプラナリティの問題が解決される。
【００７１】
以上のように、コネクタ装置１が基板６０から取り出された状態においては、図９に示すように、第２接続部１１ｓは、カード面２ｓに平行な方向に対して平行ではなく、第２接続部１１ｓに沿った方向と、カード面２ｓに平行な方向とが、０度よりも大きい鋭角（図９のθ１参照）を成すように形成されている。コネクタ端子１１がこのように形成されているために、複数のコネクタ端子１１間で位置決め誤差があったとしても、第２接続部１１ｓによって誤差が吸収される。そのため、コネクタ装置１では、ハウジング２０の収容空間２２は、カード面２ｓに平行な方向には開口していないが、端子群１２のコプラナリティが問題とならない。
【００７２】
（第２実施形態）
次に、本発明の第２実施形態に係るカード用コネクタ及びコネクタベースについて、上記の実施形態と異なる部分を中心に説明する。なお、上記の実施形態と同様の部分については、図に同一の符号を付してその説明を省略する。図１１は、本発明の第２実施形態に係るコネクタベースの概略平面図である。
【００７３】
本実施形態に係るカード用コネクタ１１０においては、スキミング検知用端子の数が、上記の実施形態とは異なる。具体的には、カード用コネクタ１１０においては、四つのスキミング検知用端子３０，１３１，１３２，１３３が、カード面２ｓに平行な全ての方向のうち、スマートカード２の挿入方向、及び、当該挿入方向に垂直な方向（すなわち垂直方向）の二方向に関して、端子群１２を両側から挟むように配置されている。さらに詳細に説明すると、カード用コネクタ１１０において、挿入方向に関しては、スキミング検知用端子３０及びスキミング検知用端子１３１が、端子群１２を両側から挟むように配置されており、垂直方向（図１１参照）に関しては、スキミング検知用端子１３２及びスキミング検知用端子１３３が、端子群１２を両側から挟むように配置されている。カード用コネクタは、このように構成されていてもよい。
【００７４】
カード用コネクタ１１０において、四つのスキミング検知用端子３０，１３１，１３２，１３３が、カード面２ｓに平行な全ての方向のうち、スマートカード２の挿入方向、及び、当該挿入方向に垂直な方向の二方向に関して、端子群１２を両側から挟むように配置されている。そのため、複数のスキミング検知用端子が端子群１２の周囲四方を囲むことになるので、周囲四方のうちどの方向からハウジング２０が削られても、そのことを検知できる。また、スキミング検知用端子を、挿入方向及びそれに垂直な方向の二方向に関して端子群１２を挟むように配置することにより、少ない数のスキミング検知用端子により効率的にスキマー設置行為を検知することができる。
【００７５】
（第３実施形態）
次に、本発明の第３実施形態に係るカード用コネクタ及びコネクタベースについて、上記の実施形態と異なる部分を中心に説明する。なお、上記の実施形態と同様の部分については、図に同一の符号を付してその説明を省略する。図１２は、本発明の第３実施形態に係るカード用コネクタの斜視図である。図１３は、本発明の第３実施形態に係るコネクタベースの概略平面図である。
【００７６】
本実施形態に係るコネクタベース２４０においては、カード用コネクタ２１０のハウジング２２０と、支持ハウジング２４１とが別体として形成されている。そのため、図１２に示すように、カード用コネクタ２１０は、独立した一部品として構成されている。そして、支持ハウジング２４１とカード用コネクタ２１０とを組み合わせることで、コネクタベース２４０が構成されるようになっている。カード用コネクタ及びコネクタベースは、このように構成されていてもよい。
【００７７】
（第４実施形態）
次に、本発明の第４実施形態に係るコネクタベースについて、上記の実施形態と異なる部分を中心に説明する。なお、上記の実施形態と同様の部分については、図に同一の符号を付してその説明を省略する。図１４は、本発明の第４実施形態に係るコネクタベースの概略平面図である。
【００７８】
本実施形態に係るコネクタベース３４０には、上記の実施形態とは異なり、上記の実施形態におけるカード用コネクタに相当する部分は含まれない。コネクタベース３４０は、ハウジングカバー５０との組み合わせにより、カードスロット１ｓが形成されたカード用コネクタ装置を構成するものである。また、コネクタベース３４０は、端子群１２と、端子群１２を支持するハウジング本体部３４２と、を備える。端子群１２の構成は、上記の実施形態における構成と同様である。
【００７９】
また、ハウジング本体部３４２には、ハウジング周壁部３４３が形成されており、当該ハウジング周壁部３４３は、接続状態におけるスマートカード２のカード面２ｓに垂直な方向に沿って見たときに端子群１２を包囲し、且つ、カード面２ｓに平行な全ての方向に沿って見たときに、露出しないように連結部１１ｔを覆っている。また、ハウジング本体部３４２には、上記の実施形態と同様の中間壁部３４２ｍが形成されている。
【００８０】
ハウジング周壁部３４３についてより詳細に説明する。ハウジング周壁部３４３は、周壁部３４３ａ，３４３ｂ，３４３ｃ，３４３ｄ，３４３ｅ，３４３ｆ，３４３ｇを含んで構成されている。周壁部３４３ａ及び周壁部３４３ｃは、挿入方向に関して端子群１２を挟むように配置されており、周壁部３４３ｂ，３４３ｄ，３４３ｅは、垂直方向に関して端子群１２を挟むように配置されている。コネクタベースは、このように構成されていてもよい。
【００８１】
本実施形態にかかるコネクタベース３４０は、ハウジングカバー５０との組み合わせにより、カード面２ｓに八つのカード端子２ｔを有するスマートカード２が挿入されるカードスロット１ｓが形成されたカード用コネクタ装置を構成する、表面実装型のコネクタベースであって、八つのコネクタ端子１１によって構成される端子群１２と、端子群１２を支持するハウジング本体部３４２と、を備え、八つのコネクタ端子１１のそれぞれは、八つのカード端子２ｔのそれぞれに対して電気的に接続されるものであり、八つのコネクタ端子１１のそれぞれは、八つのカード端子２ｔのそれぞれに対して接触する部分である第１接続部１１ｆと、基板６０に対して表面実装により接続される部分である第２接続部１１ｓと、当該第１接続部１１ｆ及び当該第２接続部１１ｓを連結する連結部１１ｔと、を有し、ハウジング本体部３４２には、ハウジング周壁部３４３が形成されており、当該ハウジング周壁部３４３は、接続状態におけるスマートカード２のカード面２ｓに垂直な方向に沿って見たときに端子群１２を包囲し、且つ、カード面２ｓに平行な全ての方向に沿って見たときに、露出しないように連結部１１ｔを覆っている。この構成により、簡易な構成によりスキミング被害を防止できる表面実装型のコネクタベースが得られる。
【００８２】
なお、コネクタベース３４０のような、上記の実施形態におけるカード用コネクタに相当する部分を含まないで構成されるコネクタベースに対して、一つ以上のスキミング検知用端子を配置してもよい。
【００８３】
以上、本発明の実施形態について説明したが、本発明は上述の実施の形態に限られるものではなく、特許請求の範囲に記載した限りにおいて様々に変更して実施することができる。
【００８４】
なお、上記の第１乃至第４実施形態にかかるカード用コネクタ及びコネクタベースは、表面実装型のものであるが、表面実装型でなく、ＤＩＰ型のカード用コネクタ及びコネクタベースに対して、上記の構成、すなわち、周壁部（又はハウジング周壁部）及びスキミング検知用端子を有する構成を適用することもできる。この場合であっても、上記の表面実装型のものと同様の効果が得られる。
【図面の簡単な説明】
【００８５】
【図１】本発明の第１実施形態に係るカード用コネクタ及びコネクタベースを含むコネクタ装置の全体構成を示す側面視概略図である。
【図２】図１のコネクタ装置の概略図であり、（ａ）は正面図、（ｂ）は底面図を示す。
【図３】図１のコネクタ装置における、カード用コネクタを含むコネクタベースの斜視図である。
【図４】図３のコネクタベースの概略図であり、（ａ）は平面図、（ｂ）は背面図を示す。
【図５】図３のコネクタベースの概略底面図である。
【図６】図１のコネクタ装置における、ハウジングカバーの底面斜視図である。
【図７】図６のハウジングカバーの概略図であり、（ａ）は底面図、（ｂ）は背面図を示す。
【図８】図１のコネクタ装置に含まれるコネクタ端子の斜視図である。
【図９】図８のコネクタ端子の第２接続部を説明するための側面視説明図であり、コネクタ端子がハウジングに取り付けられていない状態を示す。
【図１０】図１のコネクタ装置に含まれるスキミング検知用端子３０の利用例を示す説明概略図である。
【図１１】本発明の第２実施形態に係るコネクタベースの概略平面図である。
【図１２】本発明の第３実施形態に係るカード用コネクタの斜視図である。
【図１３】本発明の第３実施形態に係るコネクタベースの概略平面図である。
【図１４】本発明の第４実施形態に係るコネクタベースの概略平面図である。
【符号の説明】
【００８６】
１    コネクタ装置
１ｓ    カードスロット
２    スマートカード
２ｓ    カード面
２ｔ    カード端子
１０，１１０，２１０    カード用コネクタ
１１    コネクタ端子
１１ｆ    第１接続部
１１ｓ    第２接続部
１１ｔ    連結部
１２    端子群
２０，１２０，２２０    ハウジング
２０ｍ    中間壁部
２０ｓ    壁面
２０ｔ    壁面
２１，２２１    周壁部
２２    収容空間
２３    挿入口
３０，１３１，１３２，１３３    スキミング検知用端子
４０，１４０，２４０，３４０    コネクタベース
４１，１４１，２４１    支持ハウジング
４２    突起部
３４２    ハウジング本体部
３４３    ハウジング周壁部
５０    ハウジングカバー
５１    突起部
５２    突起部
６０    基板
７１    カード有無検出用スイッチ
７１ｃ    接続部
７１ｄ    接続部
７１ｓ    接触部
【図１】
2009076337.tif 000003
【図２】
2009076337.tif 000004
【図３】
2009076337.tif 000005
【図４】
2009076337.tif 000006
【図５】
2009076337.tif 000007
【図６】
2009076337.tif 000008
【図７】
2009076337.tif 000009
【図８】
2009076337.tif 000010
【図９】
2009076337.tif 000011
【図１０】
2009076337.tif 000012
【図１１】
2009076337.tif 000013
【図１２】
2009076337.tif 000014
【図１３】
2009076337.tif 000015
【図１４】
2009076337.tif 000016